(57)【要約】  【課題】  非常に簡単で、作業効率の高い収納テープ同士の連結方法を提供すること。  【解決手段】  カバーテープ４が剥離されて電子部品６が収納されていない２つの収納部２を有して且つこれら収納部２を挟んだ対向する送り孔５を含む両端部の一部を切除したキャリアテープ３の前記２つの収納部２に、収納部２と収納部２との中間位置で切断された継ぎ足される収納テープ１の収納テープ１終端の収納部２と同じく前記収納部２と収納部２との中間位置で切断された継ぎ足す新たな収納テープ１の収納テープ１始端の収納部２とを上方からそれぞれ嵌合させ、両収納テープ１、１同士を連結シート１１を接着して連結する。  【選択図】  図６
2006151447.tif 000002
【特許請求の範囲】
【請求項１】
キャリアテープに複数並設された収納部に電子部品を収納した状態で、カバーテープで前記収納部の開口部を被覆した収納テープ同士の連結方法において、前記カバーテープが剥離されて電子部品が収納されていないキャリアテープの２つの収納部に、一方の収納テープ終端の収納部と他方の収納テープ始端の収納部とを上方からそれぞれ嵌合させ、両収納テープ同士を連結シートを接着して連結することを特徴とする収納テープ同士の連結方法。
【請求項２】
キャリアテープに複数並設された収納部に電子部品を収納した状態で、カバーテープで前記収納部の開口部を被覆した収納テープ同士の連結方法において、前記カバーテープが剥離されて電子部品が収納されていない２つの収納部を有して且つこれら収納部を挟んだ対向する前記送り孔を含む両端部の一部を切除したキャリアテープの前記２つの収納部に、一方の収納テープ終端の収納部と他方の収納テープ始端の収納部とを上方からそれぞれ嵌合させ、両収納テープ同士を連結シートを接着して連結することを特徴とする収納テープ同士の連結方法。
【請求項３】
キャリアテープに複数並設された収納部に電子部品を収納した状態で、カバーテープで前記収納部の開口部を被覆した収納テープ同士の連結方法において、前記カバーテープが剥離されて電子部品が収納されていないキャリアテープの２つの収納部に、前記収納部と収納部との中間位置で切断された継ぎ足される収納テープの収納テープ終端の収納部と同じく前記収納部と収納部との中間位置で切断された継ぎ足す新たな収納テープの収納テープ始端の収納部とを上方からそれぞれ嵌合させ、両収納テープ同士を連結シートを接着して連結することを特徴とする収納テープ同士の連結方法。
【請求項４】
キャリアテープに複数並設された収納部に電子部品を収納した状態で、カバーテープで前記収納部の開口部を被覆した収納テープ同士の連結方法において、前記カバーテープが剥離されて電子部品が収納されていない２つの収納部を有して且つこれら収納部を挟んだ対向する前記送り孔を含む両端部の一部を切除したキャリアテープの前記２つの収納部に、前記収納部と収納部との中間位置で切断された継ぎ足される収納テープの収納テープ終端の収納部と同じく前記収納部と収納部との中間位置で切断された継ぎ足す新たな収納テープの収納テープ始端の収納部とを上方からそれぞれ嵌合させ、両収納テープ同士を連結シートを接着して連結することを特徴とする収納テープ同士の連結方法。
【発明の詳細な説明】
【技術分野】
【０００１】
本発明は、キャリアテープに複数並設された収納部に電子部品を収納した状態で、カバーテープで前記収納部の開口部を被覆した収納テープ同士の連結方法に関する。
【背景技術】
【０００２】
この種の収納テープ同士の連結方法は、例えば特許文献１などに開示されているが、連結作業を簡単にするための連結部材及び連結方法が提案されている。
【特許文献１】特開平５−３３８６１８号公報
【発明の開示】
【発明が解決しようとする課題】
【０００３】
しかしながら、まだ連結方法が複雑であり、より簡単な連結方法が望まれる。
【０００４】
そこで本発明は、非常に簡単で、作業効率の高い収納テープ同士の連結方法を提供することを目的とする。
【課題を解決するための手段】
【０００５】
このため第１の発明は、キャリアテープに複数並設された収納部に電子部品を収納した状態で、カバーテープで前記収納部の開口部を被覆した収納テープ同士の連結方法において、前記カバーテープが剥離されて電子部品が収納されていないキャリアテープの２つの収納部に、一方の収納テープ終端の収納部と他方の収納テープ始端の収納部とを上方からそれぞれ嵌合させ、両収納テープ同士を連結シートを接着して連結することを特徴とする。
【０００６】
第２の発明は、キャリアテープに複数並設された収納部に電子部品を収納した状態で、カバーテープで前記収納部の開口部を被覆した収納テープ同士の連結方法において、前記カバーテープが剥離されて電子部品が収納されていない２つの収納部を有して且つこれら収納部を挟んだ対向する前記送り孔を含む両端部の一部を切除したキャリアテープの前記２つの収納部に、一方の収納テープ終端の収納部と他方の収納テープ始端の収納部とを上方からそれぞれ嵌合させ、両収納テープ同士を連結シートを接着して連結することを特徴とする。
【０００７】
第３の発明は、キャリアテープに複数並設された収納部に電子部品を収納した状態で、カバーテープで前記収納部の開口部を被覆した収納テープ同士の連結方法において、前記カバーテープが剥離されて電子部品が収納されていないキャリアテープの２つの収納部に、前記収納部と収納部との中間位置で切断された継ぎ足される収納テープの収納テープ終端の収納部と同じく前記収納部と収納部との中間位置で切断された継ぎ足す新たな収納テープの収納テープ始端の収納部とを上方からそれぞれ嵌合させ、両収納テープ同士を連結シートを接着して連結することを特徴とする。
【０００８】
第４の発明は、キャリアテープに複数並設された収納部に電子部品を収納した状態で、カバーテープで前記収納部の開口部を被覆した収納テープ同士の連結方法において、前記カバーテープが剥離されて電子部品が収納されていない２つの収納部を有して且つこれら収納部を挟んだ対向する前記送り孔を含む両端部の一部を切除したキャリアテープの前記２つの収納部に、前記収納部と収納部との中間位置で切断された継ぎ足される収納テープの収納テープ終端の収納部と同じく前記収納部と収納部との中間位置で切断された継ぎ足す新たな収納テープの収納テープ始端の収納部とを上方からそれぞれ嵌合させ、両収納テープ同士を連結シートを接着して連結することを特徴とする。
【発明の効果】
【０００９】
本発明は、非常に簡単で、作業効率の高い収納テープ同士の連結方法を提供することができる。
【発明を実施するための最良の形態】
【００１０】
以下、添付図面を参照して、プリント基板上に電子部品を装着する電子部品装着装置に着脱自在に組み込まれる部品供給ユニット（図示せず）に装填される収納テープ１の連結方法について、説明する。
【００１１】
先ず、収納テープ１は、所定の等間隔ごとに電子部品６を収納する収納部２が形成されたキャリアテープ３と、前記収納部２の上面開口を覆うカバーテープ４とから構成される。そして、部品供給ユニットの部品送り機構のスプロケットの歯が前記キャリアテープ３に並設された複数の収納部２を挟んで対向する両端部に形成された送り孔５の一方に嵌合して、前記スプロケットを間欠回転させつつ、収納部２内の電子部品６を部品ピックアップ位置（部品取出位置）まで送り、カバーテープ４が剥離された状態のキャリアテープ３から電子部品６を電子部品装着装置の吸着ノズルがピックアップし、ピックアップされた電子部品６は、次々にプリント基板上に装着されることとなるが、ここでは省略する。なお、キャリアテープ３に並設された複数の収納部２を挟んで対向する両端部に送り孔５を形成するが、いずれか一方に形成したものでもよい。
【００１２】
次に、例えば部品供給ユニットに搭載された収納テープリールの収納テープ１内の電子部品６が残り少なくなって、当該収納テープ１に新しい収納テープ１を連結して継ぎ足し、部品供給ユニットに装填する場合の動作について説明する。初めに、当該部品供給ユニット１を電子部品装着装置のユニットベースから外して作業台上に移す。
【００１３】
そして、部品供給ユニットのユニットフレームから収納テープリールを取外して、この収納テープリールに巻かれてあった継ぎ足される収納テープ１（便宜上「古い収納テープ１」という。）のほぼ終端近くにおいて、その終端部を図１の左上方部に示すように、切断処理する。即ち、古い収納テープ１を電子部品６が収納されている収納部２と電子部品６が収納されていない収納部２との中間位置において、送り方向と直交する方向に切断する。即ち、キャリアテープ３とカバーテープ４とを同じ位置（収納部２と収納部２との中間位置）で送り方向と直交する方向に切断する。これにより、できる限り多くの電子部品６を再利用でき、廃棄することによる無駄が防止できる。
【００１４】
一方、これとは別に、同じく収納テープリールに巻かれた継ぎ足す新たな収納テープ１の始端部を図１の右下方部に示すように、始端部の電子部品６が収納されていない収納部２と電子部品６が収納されている収納部２との中間位置において、キャリアテープ３とカバーテープ４とを送り方向と直交する方向に切断処理する。これにより、同様にできる限り多くの電子部品６を再利用でき、廃棄することによる無駄が防止できる。
【００１５】
また、継ぎ足される収納テープ１と継ぎ足す新たな収納テープ１とを連結する際に使用する連結装置１０について説明する。先ず、テープリールに巻かれた収納テープ１の終端部と始端部の複数の収納部２には電子部品６が収納されていないものであるので、継ぎ足される収納テープ１と継ぎ足す新たな収納テープ１の何れか一方、作業上好ましくは継ぎ足す新たな収納テープ１から上述したように切り取った電子部品６が収納されていない収納テープ１の２つの収納部２を利用して隣りの収納部２との中間位置において送り方向と直交する方向に切断する。そして、カバーテープ４を剥離して、図２の左上方に示すようにする。しかる後、これら２つの収納部２を挟んだ対向する前記送り孔５を含むキャリアテープ３の両端部の一部を切除し、図２の右下方に示すようにして連結装置１０を作製する。
【００１６】
次に、古い収納テープ１及び新しい収納テープ１をそれぞれの端部を前述したように処理した状態で、前述せる連結装置１０などを用いて、部品供給ユニットに既に装填されていた古い収納テープ１と新しい収納テープ１との連結動作（スプライシング）について説明する。
【００１７】
先ず、図３及び図４に示すように、連結装置１０の一方の収納部２に継ぎ足される古い収納テープ１の終端の収納部２を上方から嵌合させる。次に、図５乃至図７に示すように、前記連結装置１０の他方の収納部２に継ぎ足す新しい収納テープ１の始端の収納部２を上方から嵌合させる。従って、古い収納テープ１と新しい収納テープ１とが、この連結装置１０により電子部品が連続して収納部２に収納された状態で連結されることとなる。このとき、古い収納テープ１の送り孔５が形成された並設せる収納部２を挟んで対向する両端部の耳部分３Ａ端部と新しい収納テープ１の耳部分３Ｂ端部とが僅かな隙間を存して重合せずに連結できるように、前記古い収納テープ１と新しい収納テープ１とは端面処理する必要がある。
【００１８】
次に、新しい収納テープ１と古い収納テープ１とを連結固定する連結シートの構造は問わないが、図５に示すように、古い収納テープ１の前記両端部の耳部分３Ａと新しい収納テープ１の前記両端部の耳部分３Ｂとを連結シート１１により連結する。即ち、裏面に接着剤が塗布された連結シート１１Ａ、１１Ｂを折り返して、これら耳部分３Ａ及び３Ｂを挟むように、新しい収納テープ１と古い収納テープ１とを連結固定する。
【００１９】
なお、この連結シート１Ａ、１１Ｂは、耳部分３Ａ、３Ｂの裏面の縁にて送り孔５を避けて貼られ、即ち耳部分３Ａ、３Ｂの表面部分は連結シート１１Ａ、１１Ｂを貼付するが裏面は貼付しないようにし、部品供給ユニットの部品送り機構のスプロケットの歯が送り孔５に嵌合することを妨げないものである。
【００２０】
また、新しい収納テープ１と古い収納テープ１の両カバーテープ４に跨るように連結シート１１Ｃ、１１Ｄを上方から貼付する（図８参照）。
【００２１】
このようにして、連結シート１１により新たな収納テープ１と古い収納テープ１とが連結され、新たな収納テープ１が巻かれた収納テープリールが搭載された当該部品供給ユニット１を電子部品装着装置のユニットベースに取付け固定し、電子部品装着装置の部品装着に係る運転に備える。
【００２２】
なお、連結装置１０は本実施形態では、２つの収納部２を備えているが、これに限らず３つ以上の収納部２を備えたものでもよいが、この３つ以上の収納部２のうち隣り合う収納部２の一方に継ぎ足される古い収納テープ１の終端の収納部２を上方から嵌合させると共に他方に継ぎ足す新しい収納テープ１の始端の収納部２を上方から嵌合させることにより、電子部品を連続して収納部２に収納した状態で連結させることができるものであり、連続させない場合には連結装置１０の隣り合わない２つの収納部２に古い収納テープ１の終端の収納部２と継ぎ足す新しい収納テープ１の始端の収納部２とを嵌合させて連結させることができる。
【００２３】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２４】
【図１】連結装置による古い収納テープと新しい収納テープの連結前の斜視図である。
【図２】連結装置の作製方法を説明するための斜視図である。
【図３】古い収納テープの終端の収納部を連結装置の一方の収納部に嵌合させた状態の斜視図である。
【図４】図３の要部拡大せる縦断正面図である。
【図５】連結装置により古い収納テープと新しい収納テープとを連結した後の底面斜視図である。
【図６】連結装置により古い収納テープと新しい収納テープとを連結した状態の要部拡大せる縦断正面図である。
【図７】連結装置により古い収納テープと新しい収納テープとを連結した状態の要部拡大斜視図である。
【図８】連結シートにより古い収納テープと新しい収納テープとを連結固定した状態の斜視図である。
【符号の説明】
【００２５】
１        収納テープ
２        収納部
３        キャリアテープ
４        カバーテープ
５        送り孔
６        電子部品
１０      連結装置
１１      連結シート
【図１】
2006151447.tif 000003
【図２】
2006151447.tif 000004
【図３】
2006151447.tif 000005
【図４】
2006151447.tif 000006
【図５】
2006151447.tif 000007
【図６】
2006151447.tif 000008
【図７】
2006151447.tif 000009
【図８】
2006151447.tif 000010